(57)【要約】【課題】床面保護シートにおいて、床面に複数枚敷きつめる際に、互いの相対的な位置ずれを低減することができ、敷きつめ作業の作業性を向上することができるようにする。【解決手段】床面上に複数枚を順次隣接させて敷きつめて仮設する床面保護シートとして、シート表面１ｃに、そのシート面に沿って少なくとも２方向にそれぞれ一定ピッチＰ、Ｑで反復される位置合わせ用パターン２が形成した床面保護シート１を用いる。【選択図】図２
2007138463.tif 000002
【特許請求の範囲】
【請求項１】
床面上に複数枚を順次隣接し敷きつめて仮設する床面保護シートであって、
一方のシート面に、該シート面に沿う少なくとも２方向にそれぞれ一定ピッチで反復される位置合わせパターンが形成されたことを特徴とする床面保護シート。
【請求項２】
前記位置合わせパターンが、互いに直交する方向に延びる平行線群を含む平行線パターンであることを特徴とする請求項１に記載の床面保護シート。
【請求項３】
前記位置合わせパターンが、直角格子状に配列されたマークによる格子配列パターンであることを特徴とする請求項１または２に記載の床面保護シート。
【発明の詳細な説明】
【技術分野】
【０００１】
本発明は床面保護シートに関する。例えば、イベントや選挙投・開票所などの会場を仮設するために体育館や建家内の床面を保護する床面保護シートに関する。
【背景技術】
【０００２】
従来、ある種のイベント会場や選挙投・開票所は、普段はそのような会場として機能しない建物、例えば体育館や学校の教室などに仮設される。そのため、会場設置のための机、椅子、棚などの被設置物や機材を搬入したり、大勢の人が土足で入場したりしても、床面にキズがつかないように、建家内の床面を床面保護シートで覆うことが行われている。
このような床面保護シートは仮設会場の種々の広さに対応するとともに、搬送、設置、撤去が円滑に行えるように、例えばロール状に巻かれたものを適宜長さに裁断して帯状とし、複数枚を会場の床面に敷きつめ、例えば粘着テープなどにより相互の位置を固定するようにしている。
例えば、特許文献１には、シート表面に畳、タイル、木部フローリング、ニードルパンチ、ジュータンなどの、張設個所の雰囲気に似合った模様などの意匠が印刷表示され、使い捨て使用される床面、側壁等の養生シート（床面保護シート）が記載されている。
また、これに関連する技術として、特許文献２は、シート上面に建物の設計に関する設計情報が備えられた養生シート（床面保護シート）が記載されている。
【特許文献１】特開平１０−１１０５３４号公報（図１、２）
【特許文献２】特願２００３−８２８５９号公報（図１、２）
【発明の開示】
【発明が解決しようとする課題】
【０００３】
しかしながら、上記のような従来の床面保護シートには、以下のような問題があった。
従来の床面保護シートは、会場の大きさに比して小さい床面保護シートを複数枚敷きつめていくので、互いの配置位置のずれが累積して再配置が必要となる場合があった。そのため、配置ずれがないように注意を傾けながら作業を行わなくてはならないので、作業性が悪いという問題がある。
特許文献１に記載の技術では、シート表面に張設個所の雰囲気に似合った様々な意匠が印刷表示されているので、床面や周囲の雰囲気と溶けあって設置後の見栄えがよくなるものの、設置時には、実際の床面や隣接するシート面との差がはっきりしなくなるので、作業性はかえって悪化してしまうという問題がある。
特許文献２に記載の技術のように、あらかじめ、会場の間取りなどの設計情報を表面に印刷した養生シートを用いる場合、養生シート設置後に被設置物を配置するなどの会場設営効率は向上することができるものの、養生シートを床面に敷く際の作業効率を向上できる技術ではない。
【０００４】
本発明は、上記のような問題に鑑みてなされたものであり、床面に複数枚敷きつめる際に、互いの相対的な位置ずれを低減することができ、敷きつめ作業の作業性を向上することができる床面保護シートを提供することを目的とする。
【課題を解決するための手段】
【０００５】
上記の課題を解決するために、請求項１に記載の発明では、床面上に複数枚を順次隣接し敷きつめて仮設する床面保護シートであって、一方のシート面に、該シート面に沿う少なくとも２方向にそれぞれ一定ピッチで反復される位置合わせパターンが形成された構成とする。
この発明によれば、一方のシート面に、そのシート面に沿う少なくとも２方向にそれぞれ一定ピッチで反復される位置合わせパターンが形成された構成を有するので、隣接して敷きつめる際に、位置合わせパターンが形成されたシート面を上面として敷いてゆき、少なくとも２方向を参照して位置合わせパターンを互いに整列させることにより、相互の位置合わせを容易に行うことができる。
また、敷きつめた後は、シート面上の位置合わせパターンを用いて床面保護シート上に配置する被設置物の位置決めに用いることができるので、会場設営などに好都合となる。
【０００６】
請求項２に記載の発明では、請求項１に記載の床面保護シートにおいて、前記位置合わせパターンが、互いに直交する方向に延びる平行線群を含む平行線パターンである構成とする。
この発明によれば、位置合わせパターンが互いに直交する方向に延びる平行線群を含む平行線パターンからなるので、整列度合の視認性が向上し、位置ずれの測定も容易となる。
【０００７】
請求項３に記載の発明では、請求項１または２に記載の床面保護シートにおいて、前記位置合わせパターンが、直角格子状に配列されたマークによる格子配列パターンである構成とする。
この発明によれば、位置合わせパターンが直角格子状に配置されたマークによる格子配列パターンであるので、格子配列パターンが連続するように敷きつめることで、容易に位置合わせすることができる。
また、マークを位置合わせの目的以外の表示マーク、表示画像、例えば、ロゴマーク、市章、選挙用キャラクタ画像などと兼用することができるので、会場の雰囲気と調和したデザインとすることができる。
【発明の効果】
【０００８】
本発明の床面保護シートによれば、位置合わせパターンを互いに整列させることにより容易に位置合わせを行うことができるので、床面に複数枚敷きつめる際に、互いの相対的な位置ずれを低減することができ、敷きつめ作業の作業性を向上することができるという効果を奏する。
【発明を実施するための最良の形態】
【０００９】
以下では、本発明の実施の形態について添付図面を参照して説明する。すべての図面において、実施形態が異なる場合であっても、同一または相当する部材には同一の符号を付し、共通する説明は省略する。
【００１０】
本発明の実施形態に係る床面保護シートについて説明する。
図１は、本発明の実施形態に係る床面保護シートが設置された様子を説明するための部分破断した模式的な斜視説明図である。図２（ａ）、（ｂ）は、本発明の実施形態に係る床面保護シートの概略構成について説明するため斜視説明図および平面説明図である。
【００１１】
本実施形態の床面保護シート１は、図１に示すように、例えば、事務所内の空室、体育館や学校の教室などの部屋２０を、通常の用途と異なる用途、例えばイベント会場や選挙投・開票所などとして使用するために、床面２０ａを覆って保護するためのものである。図中の符号２０ｂ、２０ｃは、それぞれ部屋２０の壁面を示す。
例えば、部屋２０が土足禁止の場合に土足による入場を可能にしたり、普段は設置しない机２２などの被設置物を一時的に配置したりする場合に床面２０ａが傷つかないように保護するものである。
【００１２】
床面保護シート１は、本実施形態では、図２（ａ）、（ｂ）に示すように、側端部１ｂ、１ｂ間が一定幅を有する帯状の可撓性シート部材であり、適宜長さに裁断されている。例えば、先端部１ａは、側端部１ｂ、１ｂと直交する方向に裁断されたものである。保管形態は、ロール状に巻き取ってもよいし、矩形状に折り畳んでいてもよい。
床面保護シート１の基材材質は、例えば塩化ビニルなど適宜の合成樹脂、紙、合成繊維による不織布、布など、あるいはそれらを複合させたものを採用することができる。そして、必要に応じて、防水性、表面耐久性、弾力性などを付与したり、印刷面を形成したりするために、例えばポリプロピレン、ポリエチレンなどの合成樹脂によるコーティング層や発泡ポリエチレンなどによるクッション層などを設けた多層シートとすることが好ましい。
【００１３】
シート表面１ｃ（シート面）には、側端部１ｂ、先端部１ａに対する平行線からなる十字形の位置合わせマーク２ａ（マーク）が規則的な格子状に配列して印刷され、位置合わせ用パターン２（位置合わせパターン）を形成している。
各位置合わせマーク２ａは、本実施形態では、図２（ｂ）に示すように、短手幅方向にはピッチＱ、長手幅方向にはピッチＰをなして、それぞれ側端部１ｂ、先端部１ａに平行に配置されている。側端部１ｂ、先端部１ａに隣接する位置合わせマーク２ａは、それぞれ距離Ｑ０、Ｐ０の位置に配置されている。
【００１４】
このように、位置合わせ用パターン２は、位置合わせパターンが平行線パターンと格子配列パターンとを兼ねたものとなっている。
位置合わせ用パターン２の線幅を狭く線長を長く設定すれば、平行線パターンの特徴が強められ、線幅を太く線長を短く設定すれば、格子配列パターンの特徴が強められる。
また、位置合わせ用パターン２は、側端部１ｂに斜めに交差する２方向にも整列している。
【００１５】
ピッチＱ、Ｐは、異なる大きさであってもよいし、等しい大きさでもよい。それぞれの大きさは、部屋２０の大きさや必要な設置誤差に応じて適宜の寸法とする。例えば、それぞれ２ｃｍ以上５５ｃｍ以下であることが好ましい。このようにすれば、位置合わせの作業性を向上することができる。
一定ピッチが２ｃｍより小さいと、遠方の位置合わせパターンのずれが判別しにくくなるため、作業性が悪化する。また、一定ピッチが５５ｃｍより大きいと、位置合わせ精度が低下し、数センチ程度のずれの有無を判別しにくくなるため、累積位置ずれが生じやすくなる。
位置合わせを効率的に行うためには、ピッチＱ、Ｐは、それぞれ５ｃｍ以上３５ｃｍ以下であることがより好ましい。本実施形態では、一例として、Ｑ＝Ｐ＝１０ｃｍとしている。
【００１６】
次に、床面保護シート１の仮設方法について説明する。
まず、図１に示すように、１枚の床面保護シート１を床面２０ａに敷いて、仮固定する。
そして、一方の側端部１ｂに他の床面保護シート１の側端部１ｂ側の端面を重ね合わせて仮置きする。
このとき、隣接する床面保護シート１同士が位置ずれしていると、位置合わせ用パターン２同士のずれとしてすぐに視認することができるので、仮置きした床面保護シート１の端部の位置合わせマーク２ａが仮固定された床面保護シート１の端部の位置合わせマーク２ａに対して長手方向および短手方向に整列するように位置合わせを行う。
位置合わせの程度は、少なくともそれぞれが短手方向の平行性が良好であれば、床面保護シート１の曲り、よじれ、しわなどの見苦しさがなく、良好な仮設状態を実現できるので、短手方向および長手方向に多少ずれていてもよい。ただし、床面保護シート１上に被設置物を正確に位置決めする場合には、長手方向にも位置合わせマーク２ａを正確に整列させ、短手方向の継ぎ目での正確にピッチＱとなるように位置合わせすることが好ましい。この場合、スケールや定寸の位置合わせ治具などで間隔を合わせながら位置合わせすると正確かつ効率的に整列させることができる。
また、床面保護シート１が半透明などの材質で製作されている場合には、端部の位置合わせマーク２ａがちょうど上下に重なるように位置合わせすればよいので、より容易に位置合わせすることができる。
【００１７】
位置合わせが終わったら、固定用テープ２１で、床面２０ａに固定し、床面保護シート１同士も固定用テープ２１で固定する。
以上の作業を繰り返して、複数枚の床面保護シート１を隣接して配置し、床面２０ａ上を覆うように敷きつめる。
すべての床面保護シート１の仮設が終了したら、机２２などの被設置物を搬入し、位置合わせマーク２ａを目印として、レイアウト配置する。
このようにして、部屋２０内に、面保護シート１により床面２０ａを保護した状態で、例えばイベント会場や選挙投・開票所などの会場設営を行うことができる。
【００１８】
本実施形態の床面保護シート１によれば、先に敷かれた床面保護シート１に隣接して、他の床面保護シート１を配置する際、少なくとも２方向の方向性を有する位置合わせ用パターン２により、容易に整列状態と位置ずれとを視認し、正確な位置合わせを行うことができる。そのため、敷きつめ時の位置ずれを低減することができ、位置ずれしたとしても容易に修正することができる。
その結果、複数枚敷きつめて行く過程での累積誤差を低減でき、広い会場であっても、敷き直しなどの手間をかけることなく効率的に敷きつめることができる。
【００１９】
次に、本実施形態の第１変形例に係る床面保護シートについて説明する。
図３は、本発明の実施形態の第１変形例に係る床面保護シートの部分平面図である。
本変形例の床面保護シート１Ａは、図３に示すように、上記実施形態の床面保護シート１の位置合わせ用パターン２、２に代えて、位置合わせ用パターン３、３（位置合わせパターン）を備える。以下、上記実施形態と異なる点を中心に説明する。
【００２０】
位置合わせ用パターン３は、位置合わせマーク２ａと同様の位置合わせマーク３ａ（マーク）を位置合わせ用パターン２と同様に配列し、それらの格子の中間位置に位置合わせマーク２ａと同様の位置合わせマーク３ｂ（マーク）を配列して、千鳥状の格子配列パターンを形成したものである。
先端部１ａ、側端部１ｂに隣接する位置合わせマーク３ｂは、先端部１ａ、側端部１ｂからそれぞれ距離Ｐ１、Ｑ１（ただし、Ｐ０＜Ｐ１＜Ｐ０＋Ｐ、Ｑ０＜Ｑ１＜Ｑ０＋Ｑ）だけ離して配置され、それぞれピッチＰ、Ｑで格子状に配列されている。
この場合も、上記実施形態と同様に、位置合わせパターンが平行線パターンと格子配列パターンとを兼ねたものとなっている。
【００２１】
本変形例によれば、上記実施形態と同様に位置合わせを行うことができる。そして、距離Ｐ０、Ｐ１、Ｑ０、Ｑ１を適宜に設定することにより、変化に富んだ格子状パターンを形成することができるという利点がある。
【００２２】
次に、本実施形態の第２変形例に係る床面保護シートについて説明する。
図４は、本発明の実施形態の第２変形例に係る床面保護シートの部分平面図である。
本変形例の床面保護シート１Ｂは、図４に示すように、上記実施形態の床面保護シート１の位置合わせ用パターン２、２に代えて、位置合わせ用パターン４、４（位置合わせパターン）を備える。以下、上記実施形態と異なる点を中心に説明する。
【００２３】
位置合わせ用パターン４は、位置合わせマーク２ａの平行線を延長してつなぎ、側端部１ｂに平行な位置合わせライン４ａと、先端部１ａに平行な位置合わせライン４ｂとからなる方眼状の平行線パターンを形成したものである。
【００２４】
本変形例によれば、上記実施形態と同様に位置合わせを行うことができる。そして、平行線パターンからなるので、床面保護シート１Ｂの各位置での曲りを容易に視認し、必要に応じて補正することができるので、より正確な位置合わせを行うことができるという利点がある。
【００２５】
次に、本実施形態の第３変形例に係る床面保護シートについて説明する。
図５は、本発明の実施形態の第３変形例に係る床面保護シートの部分平面図である。
本変形例の床面保護シート１Ｄは、図５に示すように、上記実施形態の床面保護シート１の位置合わせ用パターン２、２に代えて、位置合わせ用パターン６、６（位置合わせパターン）を備える。以下、上記実施形態と異なる点を中心に説明する。
【００２６】
位置合わせ用パターン６は、位置合わせ用パターン２の位置合わせマーク２ａに代えて、キャラクタ画像６ａ（マーク）を備えたものである。
キャラクタ画像６ａは、本実施形態では、いわゆるニコニコマークを用いているが、適宜の２次元画像、例えば、会場で行われるイベントに関係するアニメキャラクタの画像などを好適に採用することができる。例えば、選挙投・開票所などの場合には、選挙のイメージキャラクタの画像を採用することができる。
キャラクタ画像６ａは、一般には、ラインまたは塗りつぶし部などで形成される輪郭部６ｂを備えている。
また、キャラクタ画像６ａは、適宜の２次元画像であれば、単なるマーク、あるいはシンボルマークなどでもよい。例えば、市章など地方公共団体のシンボルマーク、社章、商標、家紋など、会場で行われるイベントに関係するマーク、シンボルマークでもよい。
【００２７】
本変形例では、キャラクタ画像６ａが格子状に配列されているので、輪郭部６ｂの端部が一定の直線上に整列しているため、キャラクタ画像６ａ中に直線部がなくても、容易に整列性を視認することができるので、上記実施形態と同様に位置合わせを行うことができる。
そして、会場やそこで行われるイベントにゆかりのあるキャラクタ画像６ａを用いるので、位置合わせ用のマークという印象がないので違和感がなく、しかも会場の雰囲気に溶け込んだデザインとすることができる。
本変形例は、位置合わせパターンが格子配列パターンのみからなる例になっている。
【００２８】
次に、本実施形態の第４、５変形例に係る床面保護シートについて説明する。
図６（ａ）は、本発明の実施形態の第４、５変形例に係る床面保護シートの部分平面図である。図６（ｂ）は、本発明の実施形態の第４変形例の場合の、図６（ａ）のＡ−Ａ断面図である。図６（ｃ）は、本発明の実施形態の第５変形例の場合の、図６（ａ）のＡ−Ａ断面図である。
第４変形例の床面保護シート１Ｆは、図６（ａ）に示すように、上記実施形態の床面保護シート１の位置合わせ用パターン２、２に代えて、位置合わせ用パターン１０、１０（位置合わせパターン）を備える。以下、上記実施形態と異なる点を中心に説明する。
【００２９】
位置合わせ用パターン１０は、位置合わせ用パターン２の位置合わせマーク２ａに代えて、位置合わせマーク１０Ａ（マーク）を備えたものである。
位置合わせマーク１０Ａは、図６（ｂ）に示すように、シート平坦面１ｅから一方の面に突出する平面視ドット状の凸部１０ａにより形成されている。例えば、エンボス加工などにより形成されている場合には、裏面側が凹部１０ｂとなっており、これは裏面側の位置合わせマーク１０Ａとなっている。
本変形例の特徴は、マークを凹凸パターンとして形成した点に特徴があり、マークの平面視形状は、凹凸パターンとして形成できる適宜の形状を採用することができる。例えば、キャラクタ画像６ａなどを３次元形状として刻印した形状なども採用することができる。
【００３０】
本変形例では、位置合わせマーク１０Ａが格子状に配列されているので、上記実施形態と同様に位置合わせを行うことができる。
この場合、印刷面を設けることなくマークを形成することができるので、簡素な構成とすることができる。また、会場の雰囲気を損なわないためにマークとして目立つ色を印刷できない場合であっても、視認が容易なマークを形成することができるという利点がある。
【００３１】
本変形例は、シート平坦面１ｅに凹凸パターンを形成する場合の例で説明したが、第５変形例として、図６（ａ）、（ｃ）に床面保護シート１Ｇとして示すように、エンボス加工シート１ｆの一部に平坦面からなる位置合わせマーク１０Ｂを形成してもよい。
このような位置合わせマーク１０Ｂは、エンボス加工シート１ｆを形成後に、プレス加工によりエンボス加工シート１ｆのエンボス部を潰すことにより容易に形成することができる。
【００３２】
第５変形例の場合、エンボス加工シート１ｆとの非連続性により、位置合わせマーク１０Ｂを容易に視認することができるので、上記第４変形例と同様の作用効果を有する。
そして、第４変形例と異なり、シート表面と、シート裏面とで位置合わせマーク１０Ｂが全く同じ形状とすることができるという利点がある。
また位置合わせマーク１０Ｂは、エンボス加工シート１ｆの厚み内に形成されるので、ロール状に巻く場合にかさばらず安定して巻き取れるため、保管に好都合であり、巻取って撤去する場合にも作業効率を向上することができるという利点がある。
【００３３】
なお、上記に説明した実施形態、すべての変形例の構成は、技術的に可能であり、本発明の技術的思想の範囲内であれば、適宜組合せて実施することができる。
【図面の簡単な説明】
【００３４】
【図１】本発明の実施形態に係る床面保護シートが設置された様子を説明するための部分破断した模式的な斜視説明図である。
【図２】本発明の実施形態に係る床面保護シートの概略構成について説明するため斜視説明図および平面説明図である。
【図３】本発明の実施形態の第１変形例に係る床面保護シートの部分平面図である。
【図４】本発明の実施形態の第２変形例に係る床面保護シートの部分平面図である。
【図５】本発明の実施形態の第３変形例に係る床面保護シートの部分平面図である。
【図６】本発明の実施形態の第４、５変形例に係る床面保護シートの部分平面図、およびそのそれぞれのＡ−Ａ断面図である。
【符号の説明】
【００３５】
１、１Ａ、１Ｂ、１Ｄ、１Ｆ、１Ｇ  床面保護シート
１ａ  先端部
１ｂ  側端部
１ｃ  シート表面
２、３、４、６、１０  位置合わせ用パターン（位置合わせパターン）
２ａ、３ａ、３ｂ  位置合わせマーク（マーク）
４ａ、４ｂ  位置合わせライン
６ａ  キャラクタ画像（マーク）
６ｂ  輪郭部
１０Ａ、１０Ｂ  位置合わせマーク（マーク）
１０ａ  凸部
１０ｂ  凹部
２０  部屋
２０ａ  床面
２２  机（被設置物）
【図１】
2007138463.tif 000003
【図２】
2007138463.tif 000004
【図３】
2007138463.tif 000005
【図４】
2007138463.tif 000006
【図５】
2007138463.tif 000007
【図６】
2007138463.tif 000008